(57)【要約】      （修正有）【課題】足に履いた際に、足のキック動作により除草することができる除草靴の構造を提供する。【解決手段】アウトソール１０と、アウトソールの上端に設けられるアッパー２０と、アウトソールの前端（靴先箇所）に設置される除草ユニット３０と、を備える。除草ユニットはアウトソールの発泡（或いは射出成形）成形時に、インサートとして共に発泡させて一体になるように被覆され、本体及び本体の前側の底端面から下に向けて延伸するように形成されるブレード３２を有する。ブレードの外周側の直立端面はアウトソールの前端（靴先）の輪郭に位置合わせされている。【選択図】図１
0003230959.tif 000002
【実用新案登録請求の範囲】
【請求項１】
アウトソールと、前記アウトソールの上端に設けているアッパーと、前記アウトソールの前端（靴先箇所）に設置している除草ユニットと、を備えている除草靴の構造であって、
前記除草ユニットは前記アウトソールの発泡（または射出成形）成形時に、インサートとして共に発泡させて一体になるように被覆され、本体及び前記本体の前側の底端面から下に向けて延伸するように形成しているブレードを有し、前記ブレードの外周側の直立端面は前記アウトソールの前端（靴先）の輪郭に位置を合わせていることを特徴とする除草靴の構造。
【請求項２】
前記アウトソールの後端（ヒール箇所）には前記除草ユニットを同期で設置し、前記ブレードの外周側の直立端面は前記アウトソールの後端（ヒール）の輪郭に位置を合わせていることを特徴とする請求項１に記載の除草靴の構造。
【請求項３】
前記アウトソールの底端面は前記ブレードの内側に対応する箇所に作業スロットを凹設していることを特徴とする請求項１または２に記載の除草靴の構造。
【請求項４】
前記除草ユニットは前記本体の上端面から上に向けて延伸するように形成しているフック部をさらに有していることを特徴とする請求項１または２に記載の除草靴の構造。
【請求項５】
前記除草ユニットには前記本体を上端から底端に貫通するように形成している複数のスルーホールをさらに有していることを特徴とする請求項１または２に記載の除草靴の構造。
【請求項６】
前記除草ユニットは前記本体の上端面に形成している複数のバンプをさらに有していることを特徴とする請求項１または２に記載の除草靴の構造。
【考案の詳細な説明】
【技術分野】
【０００１】
本考案は、農業用に関する技術分野に関し、より詳しくは、除草靴の構造に関する。
【背景技術】
【０００２】
農業栽培過程では、農作物のほぼ全成長周期を通して除草作業が行われる。定期的に薬物を使用して広い面積の除草を行う以外、不定期に手作業で除草を行うことが農業従事者の日常作業となっている。
【考案の概要】
【考案が解決しようとする課題】
【０００３】
手作業で除草を行う場合は鍬等の道具を使用して立って作業を行うが、鍬自体が大きいため、使用に制限があり、不便であった。このため、一般的な農業従事者は屈んだり腰を曲げた後、両手で除草を行うが、体力の消耗が激しかった。
【０００４】
また、昨今の農業従事者は高齢者が多く、一日中何度も屈んだり腰を曲げることは身体的な負担が大きかった。
【０００５】
そこで、本考案者は上記の欠点が改善可能と考え、換言すれば、除草過程で常に屈んだり腰を曲げる等の動作を行わねばならないという困難を克服するために、農業用設備には改善の必要があった。
【０００６】
本考案は、かかる事情に鑑みてなされたものであり、その目的とするところは、除草靴の構造を提供することにある。すなわち、革新的な構造の除草靴の構造を提供することで、先行技術の欠点を克服する。
【課題を解決するための手段】
【０００７】
上記目的を達成するための主たる考案は、アウトソールと、前記アウトソールの上端に設けているアッパーと、前記アウトソールの前端（靴先箇所）に設置している除草ユニットと、を備えている。前記除草ユニットは、前記アウトソールの発泡（または射出成形）成形時に、インサートとして共に発泡させて一体になるように被覆され、本体及び前記本体の前側の底端面から下に向けて延伸するように形成しているブレードを有し、前記ブレードの外周側の直立端面は前記アウトソールの前端（靴先）の輪郭に位置を合わせていることを特徴とする除草靴の構造である。
【考案の効果】
【０００８】
上述の部材の構成により、ユーザーが足に履いた際に、足のキック動作により除草する目的を達成する。
【図面の簡単な説明】
【０００９】
【図１】本考案の一実施形態に係る除草靴の構造を模式的に示した外観図である。
【図２】図１に示す一実施形態の部分部材を示す概略図である。
【図３】本考案の除草靴の除草シ−トを模式的に示した外観図である。
【図４】図３に示す一実施形態を他の角度から見た概略図である。
【図５】図２に示す一実施形態を他の角度から見た概略図（一）である。
【図６】図２に示す一実施形態を他の角度から見た概略図（二）である。
【図７】図２に示す一実施形態を他の角度から見た概略図（三）である。
【図８】図２に示す一実施形態を他の角度から見た概略図（四）である。
【図９】図８に示す一実施形態のＡ−Ａ線に沿う断面図である。
【図１０】本考案に係る除草靴の作動を示した概略図（一）である。
【図１１】本考案に係る除草靴の作動を示した概略図（二）である。
【図１２】本考案に係る除草靴の作動を示した概略図（三）である。
【図１３】本考案に係る除草靴の作動を示した概略図（四）である。
【考案を実施するための形態】
【００１０】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。また、下述の各実施例の説明における「前、後、左、右、上、下、内、外」等の方向用語は、図面の方向に基づいて示すものにすぎず、本考案を制限するものと解釈すべきではない。
【実施例】
【００１１】
以下、図１〜９を参照しながら、本考案の除草靴の構造１００をさらに詳しく説明する。本考案に係る除草靴１００は、アウトソール１０と、アウトソール１０の上端に設けているアッパー２０と、アウトソール１０の前後両端（靴先、ヒール箇所）に対称に設けている複数の除草ユニット３０と、を備えている。
【００１２】
上述の各除草ユニット３０は、本体３１と、ブレード３２と、少なくとも１つのフック部３３と、複数のバンプ３４と、複数のスルーホール３５と、を有している。実施時には、除草ユニット３０はアウトソール１０の発泡（または射出成形）成形時に、インサートとして共に発泡させて一体になるように被覆されている。
【００１３】
前記本体３１は、片状輪郭の既定の形態を呈している。
【００１４】
また、前記ブレード３２は、本体３１の前側の底端面から下に向けて延伸するように形成している。実施時には、ブレード３２の外周側の直立端面はアウトソール１０の前端及び後端（靴先、ヒール）の輪郭に適合するように位置を合わせている。なお、前記アウトソール１０の底端面はブレード３２の内側の対応する箇所に作業スロット１２を凹設し（図６、図７及び図９参照）、ブレード３２の内側面はアウトソール１０の外に露出している。
【００１５】
前記フック部３３は図３〜５、図８、及び図９に示されるように、本体３１の上端面から上に向けて延伸するように形成し、逆Ｌ字形を呈する輪郭を有している。実施時には、フック部３３は本体３１及び図アウトソール１０の発泡材（或いは射出成形）が密着を形成するのを補助する。
【００１６】
前記各バンプ３４は、図３〜５、図８、及び図９に示されるように、本体３１の上端面から上に向けて延伸するように形成している。実施時には、バンプ３４は本体３１及びアウトソール１０の発泡材（或いは射出成形）が密着を形成するのを補助する。
【００１７】
前記各スルーホール３５は、図３〜５、図８、及び図９に示されるように、本体３１を上端から底端に貫通するように形成している。実施時には、  スルーホール３５は本体３１及びアウトソール１０の発泡材（或いは射出成形）が密着を形成するのを補助する。
【００１８】
そこで、以上は本考案の好ましい一実施例に係る除草靴の各部部材及び装設方式の紹介であり、続いて、本考案の実施例の作動の特徴についで下述する。
【００１９】
図１０乃至図１３を参照すれば、ユーザーが本考案に係る除草靴１００を履いて田畑で除草を行う場合、前（後）に蹴る動作を行うことで、靴先箇所（またはヒール箇所）の除草ユニット３０の外周側が雑草Ｔ１または（及び）周辺の土壌Ｔ２を掘り起こし、雑草Ｔ１が土壌Ｔ２から浮き出して農作物（図示省略）の周囲から離れる。
【００２０】
或いは、前（後）に削る動作を行うことで、靴先箇所（またはヒール箇所）の除草ユニット３０の内周側により（アウトソール１０の作業スロット１２に適合する）、雑草Ｔ１または（及び）周辺の土壌Ｔ２を削り取り、雑草Ｔ１が土壌Ｔ２から浮き出して農作物の周囲から離れる。
【００２１】
上記の実施形態は、本考案の理解を容易にするためのものであり、本考案を限定して解釈するためのものではない。本考案は、その趣旨を逸脱することなく、変更、改良され得ると共に、本考案にはその等価物が含まれることは言うまでもない。
【符号の説明】
【００２２】
１００  除草靴
１０  アウトソール
１２  作業スロット
２０  アッパー
３０  除草ユニット
３１  本体
３２  ブレード
３３  フック部
３４  バンプ
３５  スルーホール
Ｔ１  雑草
Ｔ２  土壌
【図１】
0003230959.tif 000003
【図２】
0003230959.tif 000004
【図３】
0003230959.tif 000005
【図４】
0003230959.tif 000006
【図５】
0003230959.tif 000007
【図６】
0003230959.tif 000008
【図７】
0003230959.tif 000009
【図８】
0003230959.tif 000010
【図９】
0003230959.tif 000011
【図１０】
0003230959.tif 000012
【図１１】
0003230959.tif 000013
【図１２】
0003230959.tif 000014
【図１３】
0003230959.tif 000015